(57)【要約】【課題】テロップ編集の際の情報欠如の発生を効果的に防止する。【解決手段】画像データ、音声データ、テロップデータの同期を取りつつ再生又は録画を行うテロップ編集システムであって、操作者が編集操作を行うために設けられたＧＵＩ部１１と、画像データ、音声データ、テロップデータを多重化した多重化ファイルを記憶する記憶部１２と、多重化ファイルの多重分離を行う多重分離部１３と、分離した画像データ、音声データ及びテロップデータの編集処理に関する制御を行うデータ編集制御部１４と、データ編集制御部１４中に含まれるデータ取得部１５及びデータ加工部１６と、操作者による編集開始時間および編集終了時間の設定後にテロップが持つ表示属性情報を再設定するテロップ属性再設定部１７と、テロップ属性再設定部１７に含まれる再設定処理判定部１８と、表示可否判定部１９と、属性選定部２０と、属性選定部２０が参照する属性設定部２０と関連付けされた属性変更テーブル２１とを有する。【選択図】  図１
2004274167.tif 000002
【特許請求の範囲】
【請求項１】
第１の最小管理単位を有する第１種のデータと、該第１の最小管理単位と異なる第２の最小管理単位を有する第２種のデータであって前記第１種のデータと前記第２種のデータと、が多重化された多重化データを記憶する多重化データ記憶部と、
前記多重化データの多重分離処理を行う多重分離部と、
該多重分離部において分離された前記第１種のデータと前記第２種のデータとの編集処理を制御するデータ編集制御部と、
該データ編集制御部と関連付けされ、編集後の前記第１の最小管理単位に付与されている第１の属性情報又は前記第２の最小管理単位に付与されている第２の属性情報の少なくとも一方を編集期間に合わせて再設定する属性再設定部と
を備えた多重化データ編集装置。
【請求項２】
前記第１種のデータは画像データ及び音声データのうち少なくとも一方を含むデータであり、前記第２種のデータは前記画像データ及び音声データよりも長い最小管理単位を有するテロップデータを含むことを特徴とする請求項１に記載の多重化データ編集装置。
【請求項３】
前記データ編集制御部は、前記第１種のデータと前記第２種のデータとの同期を取るように編集処理を行うことを特徴とする請求項１又は２に記載のデータ編集装置。
【請求項４】
さらに、データ編集操作者が編集操作を行うための編集操作部を有することを特徴とする請求項１から３までのいずれか１項に記載の多重化データ編集装置。
【請求項５】
さらに、前記データ編集制御部は、編集対象となる時間及び操作者からの編集操作イベントを前記編集操作部から取得するデータ取得部と、該データ取得部が取得した時間情報に基づいて、前記第２種のデータの再生期間に関する加工を行うデータ加工部とを有することを特徴とする請求項１から４までの記載の多重化データ編集装置。
【請求項６】
前記属性再設定部は、データ編集前の第２の属性情報に基づいて、属性の再設定が必要か否かを判定する再設定処理判定部と、データ編集前の前記第２種のデータの表示期間とデータ編集後の前記第２種のデータの表示期間との差に基づいて前記第２種のデータを適切に表示可能か否かを判定する表示可否判定部と、前記第２種のデータを適切に表示可能な場合に、前記第２の属性情報を新たに選定する属性選定部と、を有することを特徴とする請求項１から５までのいずれか１項に記載の多重化データ編集装置。
【請求項７】
前記属性選定部は、属性を再設定する時の判定基準として参照可能な属性変更テーブルと関連付けされていることを特徴とする請求項６記載の多重化データ編集装置。
【請求項８】
前記属性変更テーブルは、属性を再設定する際の対象となる再設定前の属性情報と、再設定の際に付与すべき新たな属性情報又は再設定ができない場合の代替表示処理の内容と、を対応させて記憶していることを特徴とする請求項７に記載の多重化データ編集装置。
【請求項９】
前記属性判定部は、新たな属性情報の付加結果を前記編集操作部に通知する手段を有することを特徴とする請求項４から８までのいずれか１項に記載の多重化データ編集装置。
【請求項１０】
前記編集操作部は、前記テロップの文字列を操作者が再設定するインタフェースを有することを特徴とする請求項４から９までのいずれか１項に記載の多重化データ編集装置。
【請求項１１】
第１の最小管理単位を有する第１種のデータと、該第１の最小管理単位と異なる第２の最小管理単位を有する第２種のデータであって前記第１種のデータと同期された第２種のデータと、が多重化された多重化データの多重分離処理を行う多重分離部と、
該多重分離部において分離された前記第１種のデータと前記第２種のデータとの編集処理を制御するデータ編集制御部と、
編集後の前記第１の最小管理単位に付与されている第１の属性情報又は前記第２の最小管理単位に付与されている第２の属性情報の少なくとも一方を編集期間に合わせて再設定する属性再設定部と
を備えた多重化データ編集装置。
【請求項１２】
データを多重化して編集する多重化データ編集装置であって、
第１の最小管理単位を有する第１種のデータと、該第１の最小管理単位と異なる第２の最小管理単位を有する第２種のデータであって前記第１種のデータと前記第２種のデータとの編集処理を制御するデータ編集制御部と、
該データ編集制御部と関連付けされ、編集後の前記第１の最小管理単位に付与されている第１の属性情報又は前記第２の最小管理単位に付与されている第２の属性情報の少なくとも一方を編集期間に合わせて再設定する属性再設定部と
を備えた多重化データ編集装置。
【請求項１３】
請求項１から１２までのいずれか１項に記載の多重化データ編集装置を備え、前記第１種のデータと前記第２種のデータとを同期させて再生又は記録可能な情報端末。
【発明の詳細な説明】
【０００１】
【発明の属する技術分野】
本発明は、画像、音声、テキスト（テロップ）などのデータを多重化したデジタルデータの同期再生、録画および編集を行う機器、例えば携帯端末などにおけるテロップ編集技術に関する。
【０００２】
【従来の技術】
デジタル動画像を編集する技術に関しては、従来から種々の提案がなされている。例えば、動画像データにおける任意のポイントにおいてストリーム編集を行った場合でも、画像の復号化を行うことが可能なストリーム編集技術に関して開示されている（例えば特許文献１参照）。
【０００３】
しかしながら、上記のストリーム編集技術は、画像と音声とが多重化されたデータ編集を前提としており、編集元データの一部の切出しを行い、切出し編集の際の開始位置と終了位置とに関する制限を少なくする技術である。
【０００４】
画像、音声、テロップを多重化した１つのデータには、通常、複数のテロップデータが含まれており、さらに、１つのテロップデータは任意の複数文字から構成されている。それぞれのテロップデータは、画像、音声との同期再生において表示すべき開始時間と表示期間、表示の際の文字色、スクロールするか否かなどを表すテロップ属性を有している。
【０００５】
【特許文献１】
特開２００２−３００５２６号公報
【０００６】
【発明が解決しようとする課題】
従来は、画像、音声及びテロップを多重化した多重データの切出し編集処理においては、１つのテロップデータの表示期間の途中においてファイルを分割する場合には、テロップ属性の内容に関わらず単純に表示期間を縮めていたため、切出し編集により、表示期間の途中からファイルを分割する際には、テロップ属性情報の内容に関わらず、単純に表示期間を縮めることにより、元々設定されていたテロップが表示されなかったり途中で途切れたりする等の、表示情報が欠如するような不具合が発生していた。
【０００７】
本発明の目的は、画像、音声、テロップなどの異なるデータを多重化した多重化データの編集処理においてを、切出し編集の際において、あるデータ、例えばテロップデータが欠如するのを防止することである。
【０００８】
【課題を解決するための手段】
本発明の一観点によれば、第１の最小管理単位を有する第１種のデータと、該第１の最小管理単位と異なる第２の最小管理単位を有する第２種のデータであって前記第１種のデータと同期された第２種のデータと、が多重化された多重化データを記憶する多重化データ記憶部と、前記多重化データの多重分離処理を行う多重分離部と、該多重分離部において分離された前記第１種のデータと前記第２種のデータとの編集処理を制御するデータ編集制御部と、編集後の前記第１の最小管理単位に付与されている第１の属性情報又は前記第２の最小管理単位に付与されている第２の属性情報の少なくとも一方を再設定する属性再設定部とを備えた多重化データ編集装置が提供される。
【０００９】
属性再設定部における再設定は、編集期間に合わせて行うのが好ましい。上記多重化データ編集装置によれば、異なる最小管理単位を有する多重化データの分離、再編集時に、第１種のデータと第２種のデータとを所望の期間内に入るように編集することができる。特に、前記第１種のデータは画像データ及び音声データのうち少なくとも一方を含むデータであり、前記第２種のデータは前記画像データ及び音声データよりも最小管理単位が長いテロップデータである場合に、テロップデータを所望の期間内に入るように編集する場合に適している。
【００１０】
データ変種は、編集対象となる時間及び操作者からの編集操作イベントを前記編集操作部から取得し、取得した時間情報に基づいて、前記第２種のデータの再生期間に関する加工を行うのが好ましい。
【００１１】
属性再設定部は、データ編集前の第２の属性情報に基づいて、属性の再設定が必要か否かを判定し、データ編集前の前記第２種のデータの表示期間とデータ編集後の前記第２種のデータの表示期間との差に基づいて前記第２種のデータを適切に表示可能か否かを判定し、前記第２種のデータを適切に表示可能な場合に、前記第２の属性情報を新たに選定する。
【００１２】
このように、編集後のテロップ表示期間の変化に合わせた、テロップ属性の自動選定と付与、または操作者への編集設定の再入力を促すことにより、テロップ情報の欠如を防止することができる。
【００１３】
【発明の実施の形態】
本明細書において、分離処理とは、最小管理単位のアドレスを検索し、画像データ、音声データ、テロップデータ毎に最小管理単位のデータを取り出すことである。逆に、分離された状態の画像および音声のストリームデータ、テロップデータを最小管理単位に分割し、１つのファイルに統合することを多重化と呼ぶ。データの編集処理とは、一連の画像データおよび音声データのストリームデータ、テロップ全文字をワークメモリ上において再構築（再編集）することである。
【００１４】
また、各最小管理単位には、画像データ、音声データ、テロップデータの同期再生を行う上で、それぞれ再生するべき時間が設定されている。多重化ファイルにおいて、例えば画像データ及び音声データについては、最小管理単位の復号化処理がミリ秒レベルで行われるのに対して、例えばテロップデータでは、複数の文字の表示期間がそれよりも長い数秒単位で設定されている。従って、切出し編集における編集開始時間、編集終了時間の指定が、画像データの最小管理単位に基づいて行われる場合に、テロップデータの最小管理単位の表示期間途中に開始時間または終了時間が設定されてしまう場合が多い。そこで、編集開始時間Ｓ及び編集終了時間Ｅを指定することにより、それぞれの時間に該当するテロップ最小管理単位の表示期間に変更を加えるのが好ましい。
【００１５】
以下、上記考察に基づき、本発明に一実施の形態によるテロップ編集技術について、図面を参照して説明を行う。図１は、テロップ編集システムの構成例を示すブロック図であり、例えば携帯端末などを含む電子機器中に図１に示す構成が組み込まれている。
【００１６】
画像データ、音声データ、テロップ（テキスト）データの同期を取りつつ再生又は録画を行う携帯端末に組み込まれる上記テロップ編集システムは、端末の操作者が編集操作を行うために設けられたＧＵＩ部１１と、画像データ、音声データ、テロップデータを多重化した多重化ファイルを記憶する記憶部１２と、多重化ファイルの多重分離を行う多重分離部１３と、分離した画像データ、音声データ及びテロップデータの編集処理に関する制御を行うデータ編集制御部１４と、データ編集制御部１４中に含まれるデータ取得部１５及びデータ加工部１６と、操作者による編集開始時間および編集終了時間の設定後に、テロップが持つ表示属性情報を再設定するテロップ属性再設定部１７と、テロップ属性再設定部１７に含まれる再設定処理判定部１８と、表示可否判定部１９と、属性選定部２０と、属性選定部２０が参照することができるように属性設定部２０と関連付けされた属性変更テーブル２１とを有する。ここで、上記テロップ編集システムにおいて、操作者が画像データ、音声データ及びテロップデータを多重化した多重化データの編集を行う際の処理手順について図２、図３（図２の続きの図）を参照して説明する。図２、３は、多重化データの編集処理の流れを示すフローチャート図である。
【００１７】
図２、３に示すように、ステップＳ２１において、操作者はＧＵＩ部１１を用いて、編集を行う対象とする多重化ファイルの指定を行う。データ取得部１５は、ステップＳ２１において指定されたファイル名を多重分離部１３に通知し、多重分離部１３が記憶部１２内に保存されている多重化ファイルを検索し読込む。ステップＳ２２において、多重分離部１３は、読込んだデータに含まれる画像データ、音声データ、テロップデータを分離する。
【００１８】
ここで、図４を参照し、多重化ファイルの基本的な構成例についての説明を行う。図４に示すように、多重化ファイル３０には、ヘッダ部３１とデータ部３２とが区別されて含まれている。ヘッダ部３１には、多重化ファイル３０内に含まれる画像の画像符号化形式３０ａ、音声の音声符号化形式３０ｂなどに関する種別、データ部３２内において、最小管理単位に分割されて格納されている画像データ、音声データ、テロップデータのそれぞれの管理単位の位置を示すアドレスなどが含まれている。
【００１９】
データ部３２には、画像データ、音声データ、テロップデータが、それぞれの最小管理単位（画像最小管理単位Ｖ１、Ｖ２、…、Ｖｍ、音声最小管理単位Ａ１、Ａ２、…、Ａ１、テロップ最小管理単位Ｔ１、Ｔ２、…、Ｔｎ）で複数単位格納されている（ｌ、ｍ、ｎはそれぞれ任意の整数である。）。
【００２０】
尚、最小管理単位とは、画像／音声／テロップの多重化データのフォーマット規格上での最小単位として定義され、多重分離を行うために決められた最小の単位である。
【００２１】
例えば、画像データでは１フレーム＝１最小管理単位、音声では任意の複数フレーム＝１最小管理単位、テロップでは同一のテロップ属性を持つ任意の複数文字＝１最小管理単位となるように定義される。
【００２２】
図５は、分離処理後のテロップデータに関する時間の流れを示す図である。同期再生処理においては、時間の経過に合わせて、適合する画像／音声の各最小管理単位の復号化、テロップの表示処理を行っていくことになる。ステップＳ２３において、多重分離部１３は、分離したテロップデータの各最小管理単位に含まれるテロップ属性を取り出す。テロップ属性情報とは、複数の文字から成るテロップデータの１つの最小管理単位に付与されており、文字表示を行う際に文字列をどれだけの時間だけ表示するかを表すテロップ表示期間と、文字の色、文字の大きさ、文字の太さ／斜体、文字の動き等を規定するテロップ修飾情報等を指す。文字の動きとは、文字列が水平または垂直方向に流れる処理（スクロール）、点滅処理（ブリンク）、再生経過時間に合わせた文字色の変色処理（カラオケ）など、文字表示を動的に制御することを指す。
【００２３】
次に、ステップＳ２４において、操作者はＧＵＩ部１１から編集開始時間Ｓと編集終了時間Ｅとを指定し、データ取得部１５が各時間情報Ｓ、Ｅを取得する。本実施の形態におけるファイル編集とは、例えばステップＳ２１において読込んだ編集対象のファイルから、編集開始時間Ｓと編集終了時間Ｅの間のデータを抜き出し、新たなファイルを生成することである。ここで、編集開始時間Ｓと編集終了時間Ｅは、画像の最小管理単位の切れ目に設定することとする。また、この編集操作を以降、切出し編集と呼ぶ。
ステップＳ２５において、データ加工部１６は、編集開始時間、編集終了時間設定後の新たなテロップ表示期間を算出する。
【００２４】
図６に、編集操作元のテロップデータの構成と、編集開始時間，編集終了時間設定後のテロップデータの構成および変更されたテロップ表示期間Ｔ―ＳＮ、Ｔ―ＥＮを示す。Ｓは編集開始時間、Ｅは編集終了時間、Ｔ１は編集開始時間に該当するテロップ最小管理単位、Ｔｎは編集終了時間に該当するテロップ最小管理単位、Ｔ１―Ｔはテロップ最小管理単位Ｔ１に本来設定されていたテロップ表示期間、Ｔｎ―Ｔはテロップ最小管理単位Ｔ１に本来設定されていたテロップ表示期間、Ｔ１―ＴＮはテロップ編集開始時間設定後に算出した新たなテロップ表示期間、Ｔｎ―ＴＮはテロップ編集終了時間設定後に算出した新たなテロップ表示期間を示す。
【００２５】
また、Ｄ１はテロップ最小管理単位Ｔ１に付与されているテロップ属性情報、Ｄｎはテロップ最小管理単位Ｔｎに付与されているテロップ属性情報を示す。ステップＳ２６において、データ編集制御部１４は、操作者に対し属性再設定を行うか否かの確認表示を行い、ＧＵＩ部１１を通してデータ取得部１５が得た操作者のイベントを契機にして、属性再設定処理の実行を行うか、実行しないかの判断を行う。属性再設定を行う場合、ステップＳ２７へ進み、再設定を行わない場合、ステップＳ３５へ進む。
【００２６】
次に、ステップＳ２７へ進んだ場合の処理の流れを説明する。データ加工部１６は、編集開始時間、編集終了時間の対象となった各テロップ最小管理単位が持っている本来の表示期間Ｔ１―Ｔ、Ｔｎ―Ｔと、テロップ修飾情報Ｄ１、Ｄｎ及びテロップ編集開始時間、編集終了時間設定後に算出した新たなテロップ表示期間Ｔ１―ＴＮ、Ｔｎ―ＴＮを、テロップ属性再設定部１７へ転送する。
【００２７】
ステップＳ２８において、再設定処理判定部１８は、転送されたテロップ修飾情報Ｄ１、Ｄｎに基づいて、再設定処理が必要か否かを判定する。テロップ属性再設定においては、文字に動きのある修飾情報が付与されているテロップ最小管理単位の表示期間が変動することにより、本来表示すべきテロップが表示不能となることを防止することを目的としているため、テロップ修飾情報Ｄ１，Ｄｎが、文字の動きを規定するものか否かを判別し、文字色，文字サイズなど、静的な修飾情報であった場合は、再設定処理は不要とみなす。この場合、ステップＳ３５に進む。テロップ修飾情報Ｄ１、Ｄｎがスクロール等、動的なものであった場合は、ステップＳ２９に進む。
【００２８】
ステップＳ２９において、表示可否判定部１９は、編集時間設定後のテロップ表示期間Ｔ１―ＴＮ、Ｔｎ―ＴＮに、最小管理単位に含まれる全ての文字が表示可能か否かを判定する。テロップ最小管理単位Ｔ１を例として、各設定を説明する。テロップ最小管理単位Ｔ１に含まれる文字を、例えば｛Ａ、Ｂ、Ｃ、Ｄ、Ｅ、Ｆ｝の６文字とする。本来のテロップ表示期間Ｔ１―Ｔを例えば１０秒とし、編集操作後のテロップ表示期間Ｔ１―ＴＮを５秒とする。また、テロップ最小管理単位Ｔ１のテロップ属性Ｄ１はスクロールＩＮとする。
【００２９】
スクロールＩＮとは、表示開始時点では文字が表示されておらず、再生時間の経過に合わせて文字表示領域に文字が入ってくる表示動作を指す。例えば、文字表示領域は、同時に４文字×２行が表示可能は大きさを持っているとする。さらに、スクロール動作速度は２文字／１秒とする。スクロール動作速度は、表示可否判定部が管理している情報であり、テロップ編集システムにおいて任意に設定可能な情報とする。但し、データ編集制御部においてスクロール動作速度を管理し、表示可否判定部１９が判定処理を行う際に取得する構成としても何の問題もない。
【００３０】
次に、上記設定値に基づき、判定処理を説明する。テロップ最小管理単位Ｔ１の文字数６とスクロール速度とより、Ｔ１の文字を全て表示するために必要な時間は、６／２＝３秒となる。この３秒という値は、編集操作後のテロップ表示期間Ｔ１―ＴＮ＝５秒よりも短く、全文字を表示することが可能と判断する。しかし、Ｔ１―ＴＮ＝２秒と設定した場合に、本来のテロップ属性では、全文字の表示は不可能と判断する。全文字表示可能と判断した場合、ステップＳ３５に進み、不可能と判断した場合、ステップＳ３０へと進む。ステップＳ３０では、テロップ属性選定部２０は、属性変更テーブル２１を参照し、新たなテロップ属性を選定する。
【００３１】
図７に属性変更テーブルの構成例を示す。図７に示すように、属性変更テーブルは、任意のテロップ最小管理単位が本来持っているテロップ属性６１と、表示可否判定部１９において表示文字の欠如が発生すると判断した場合に、再設定する新たなテロップ属性６２及び新テロップ属性６２を付与した場合でも表示文字の欠如が発生すると判断された場合に行われる代替表示処理６３とを有している。ここでは、新テロップ属性を１種類、代替表示処理を１種類とした例を示しているが、それぞれを任意数だけ設定しておいても構わない。
【００３２】
テロップ属性選定部２０は、テロップ最小管理単位Ｔ１のテロップ属性Ｄ１がスクロールＩＮであることを認識し、対応する新テロップ属性スクロールＯＵＴを選択する。スクロールＯＵＴとは、表示開始時点では文字表示領域一杯に文字を表示しておき、再生時間の経過に合わせて文字表示領域外に文字が流れていく表示動作を指す。テロップ最小管理単位Ｔ１に付与された新テロップ属性をＤ１Ｎとする。
【００３３】
次に、ステップＳ３１で、表示可否判定部１９は新テロップ属性Ｄ１Ｎに基づき、全文字表示が可能であるか否かの判定を行う。上記の設定によれば、表示開始時点で文字表示領域には４文字×１行の表示がされている。非表示となっている２文字をスクロールさせるのに必要な時間は、スクロール速度から算出すると１秒である。これは、新たな表示期間Ｔ１―ＴＮを２秒とすれば全文字表示可能な範囲であり、この場合にはテロップを表示することが可能であると判断する。ここで、例えば、新たな表示期間Ｔ１―ＴＮが０．５秒であった場合は、非表示の２文字のうち１文字が表示不可となる。そこで、この場合には表示可否判定部１９は、属性選定部２０に通知し、属性選定部２０において代替処理ＤＩＮ‘を選択する。ここでは、｛スクロールなし、改行｝とする。表示可否判定部１９は代替処理ＤＩＮ‘での表示可否を判定する。スクロール無しと改行とを組み合わせた設定により、文字表示領域には表示開始時点で４文字×２行＝８文字が、０．５秒間表示可能となる。Ｔ１は６文字であるので全文字表示可能と判断する。
【００３４】
しかし、ここでＴ１が９文字以上であり、その他の設定値が同一であった場合、代替処理Ｄ１Ｎ‘を用いても全文字表示は不可能と判断される。表示可否判定部１９での判断が表示可能であった場合にはステップＳ３５へ進み、表示可否判定部１９での判断が表示不可能であった場合ステップＳ３２に進む。ステップＳ３２において、テロップ属性再設定部１７は、全ての文字が表示できない旨、ＧＵＩ部１１へ通知する。ステップＳ３３において、ＧＵＩ部１１は、例えば、以下に述べる表示を行い、操作者が、例えば▲１▼から▲３▼までのいずれかを選択するための処理を促す。
【００３５】
▲１▼編集開始時間、編集終了時間を変更する。▲２▼テロップ文字の再入力を行う。▲３▼このまま切出し処理を終了する。このうちの▲１▼が選択された場合、ステップＳ２４へ戻り、操作者はＧＵＩ部１１より、編集開始時間と編集終了時間との再設定を行う。▲２▼が選択された場合は、操作者はＧＵＩ部１１より、テロップ最小管理単位Ｔ１の文字の再入力を行う。そして、ステップＳ３１に戻り、再入力された文字数をもとに、表示可否判定部１９にて全文字表示の可否判断が行われる。▲３▼が選択された場合、ステップＳ３５に進む。
【００３６】
ステップＳ３５において、データ加工部１６は、最終的に決められた編集開始時間Ｓと編集終了時間Ｅとから、画像データ、音声データ、テロップデータの各データの切出しを行い多重分離部１３へデータを転送する。
【００３７】
ステップＳ３６において、多重分離部１３は画像データ、音声データ、テロップデータの多重化を行った後、ステップＳ３７において記憶部１２にファイル保存を行い、一連の編集処理が終了する。
【００３８】
以上説明したように、本実施の形態によるテロップ編集システムにおいては、多重化ファイルを操作者が切出し編集操作した結果、本来のテロップデータが持っていた表示すべき内容が、編集後においては欠如するか否かを判断し、この判断の結果、編集後においては欠如すると予測した場合は、欠如しないように新たなテロップ属性を好ましくは自動的に付与することにより、テロップデータが欠如しないように編集することができる。
【００３９】
また、新テロップ属性を付与した場合してもなお、テロップ情報の欠如が発生すると予測される場合に操作者にその旨を通知し、編集開始時間又は編集終了時間の少なくとも一方を再設定するか、或いは、テロップ文字の再入力を行うように促すことにより、操作者の意図を反映した再編集操作が可能となる。
以上のようにして、テロップ編集の際の情報欠如の発生を効果的に防止することが可能となる。
【００４０】
以上、本実施の形態に沿って説明したが、本発明はこれらの例に限定されるものではなく、種々の変形が可能であるのは言うまでもない。例えば、上記図２及び図３に示されるテロップデータ編集処理を行うためのプログラム、該プログラムを記憶した記憶媒体に関しても本発明の範疇に入ることは言うまでもない。
【００４１】
【発明の効果】
以上説明したように、本発明のテロップ編集システムでは、操作者による多重化ファイルの切出し編集操作の結果、本来のテロップデータが持っていた表示すべき内容が編集後において欠如する場合に、新テロップ属性の付与することによりテロップ編集の際の情報欠如の発生を効果的に防止することが可能となる。
【００４２】
新テロップ属性の付与後においても、欠如が予測される場合には、編集開始時間・編集終了時間の再設定、或いは、テロップ文字の再入力のいずれかを行うことにより、操作者の意図を反映した再編集操作が可能となる。
従って、テロップを含む多重化ファイルの切り出し編集におけるテロップデータの欠如を防止することができる。
【図面の簡単な説明】
【図１】本発明の一実施の形態によるテロップ編集システムの構成例を示すブロック図である。
【図２】本発明の一実施の形態によるテロップ編集処理の流れを示すフローチャート図である。
【図３】本発明の一実施の形態によるテロップ編集処理の流れを示すフローチャート図であり、図２に続く図である。
【図４】多重化ファイルの基本構成例を示す図である。
【図５】多重化ファイルを分離処理した後における、画像データ、音声データ、テロップデータの関連を時間の流れに対して例示した図である。
【図６】編集操作元のテロップデータの構成と、編集開始時間及び編集終了時間設定後のテロップデータの構成及び変更されたテロップ表示期間と、の関係を例示した図である。
【図７】属性変更テーブルの構成例を示す図である。
【符号の説明】
１１…ＧＵＩ部、１２…記憶部、１３…多重分離部、１４…データ編集制御部、１５…データ取得部、１６…データ加工部、１７…テロップ属性再設定部、１８…再設定処理判定部、１９…表示可否判定部、２０…テロップ属性選定部、２１…属性変更テーブル。
【図１】
2004274167.tif 000003
【図２】
2004274167.tif 000004
【図３】
2004274167.tif 000005
【図４】
2004274167.tif 000006
【図５】
2004274167.tif 000007
【図６】
2004274167.tif 000008
【図７】
2004274167.tif 000009